(57)【要約】【課題】各種制御回路基板や情報端子基板の配置がし易く、かつ、組立時や据付時にかかる労力が低減されるように改良された遊技機を提供すること。【解決手段】パチンコ機１の背面に、主枠２の後方へ露出している機構盤１７の背面を覆うための裏カバー６を設ける。裏カバー６は、主枠２に近接して設けられた平坦部６１と、主枠２と一定の空間をあけて設けられた膨出部６２とを有する。裏カバー６の膨出部６２のパチンコ機裏面と対向する面には、制御回路基板Ｓ１〜Ｓ６が配置されている。また、裏カバー６の平坦部６１の後方側には、情報端子基板１２が配置されており、情報端子基板１２は、裏カバー６、カバー１３、および、一対の側板２２により覆われている。【選択図】　　　　　図４
2004057482.tif 000002
【特許請求の範囲】
【請求項１】
上下左右の枠を有する正面形状が矩形の主枠と、
主枠内に取り付けられた遊技機本体と、
主枠の後方へ露出している遊技機本体の背面を覆うための裏カバーとを有する遊技機であって、
遊技機本体の背面と対向する裏カバーの内表面に、遊技機を電気的に制御するための制御回路基板が配置されていることを特徴とする遊技機。
【請求項２】
前記裏カバーの一部は、遊技機本体の背面に近接して当該背面を覆う平坦部を構成し、前記裏カバーの残りの部分は遊技機本体の背面と一定の空間をあけて背面を覆う膨出部を構成していることを特徴とする請求項１記載の遊技機。
【請求項３】
前記裏カバーの平坦部の外表面に、当該遊技機と外部装置との信号の送受信を行うための情報端子基板が配置されていることを特徴とする、請求項２記載の遊技機。
【請求項４】
前記遊技機はパチンコ機であり、前記裏カバーの平坦部はパチンコ機本体の背面上方を覆い、前記平坦部の一部は切欠かれていて、そこにパチンコ機の背面から後方へ突出する球受け部が露出されていることを特徴とする、請求項３記載の遊技機。
【請求項５】
前記情報端子基板は、球受け部の側方に位置する平坦部の外表面に配置され、開閉可能なカバーにより覆われていることを特徴とする、請求項４記載の遊技機。
【請求項６】
前記裏カバーの内表面には、そこに配置される制御回路基板を電気的に接続することのできるアース用シートが貼着されていることを特徴とする、請求項１〜５のいずれかに記載の遊技機。
【発明の詳細な説明】
【０００１】
【発明の属する技術分野】
本発明は、パチンコ機やパチスロ機等の遊技機に関する。
【０００２】
【従来の技術】
たとえば、パチンコ機には、可変表示装置や可変入賞球装置といった各種の遊技具が備えられており、これらは電気的に制御される。また、遊技の雰囲気を盛り上げるための効果音出力用のスピーカ、各種の装飾ランプ等も、パチンコ機には備えられている。これら電気的に制御される各種装置は、それぞれ、主制御基板、ランプ制御基板、音声制御基板、払出制御基板、表示制御基板等の各種の制御回路基板と接続されており、これら基板に備えられた制御回路（ＣＰＵ等で構成されたもの）によって制御されている。また、パチンコ機には、これら制御回路から発信される信号を受け取り、この信号をパチンコ機が設置されるパチンコホールに備えられるホール管理装置（外部装置）に送信するための情報端子基板が備えられている。通常、情報端子基板と上記ホール管理装置は、遊技機島内に備えられる電線を介して電気的に接続されている。
【０００３】
これら各種の制御回路基板や情報端子基板は、通常、パチンコ機の背面に配置されている。そして、パチンコ機の背面側は、外部からごみ等の異物が侵入しないように、裏カバーと称されるカバーにより覆われているものが提案されている（例えば特開２０００−１８９６２６号公報）。
しかし、パチンコ機の背面には、機構盤や賞球払出機構その他の機構が備えられていて、制御回路基板や情報端子基板を配置するスペースを確保しにくいという課題があった。
【０００４】
そこで、従来のパチンコ機は、機構盤や賞球払出機構等の機構を工夫したり、その機構の背面側に、制御回路基板や情報端子基板を配置するための取付板を配置したりすることにより、制御回路基板の配置場所を確保していた。
しかしながら、パチンコ機の背面に制御回路基板や情報端子基板を取付けることに変わりは無く、制御回路基板や情報端子基板の配置場所を確保し難かった。他の遊技機として、例えばパチスロ機でも、遊技具やスピーカやランプ等を制御する制御回路基板がパチスロ機本体の後方に配置されているが、制御回路基板の配置位置を確保しにくく、その取り付けに苦労しているという課題があった。
【０００５】
この発明は、かかる課題を解決するためになされたもので、パチンコ機やパチスロ機等の遊技機において、制御回路基板や情報端子基板の配置がし易いように改良された遊技機を提供することである。
また、この発明は、遊技機本体の後方における制御回路基板や情報端子基板の配置構造が改良された、遊技機の組立て時や据付時における作業性の良い遊技機を提供することである。
【０００６】
【課題を解決するための手段および発明の効果】
上記目的を達成するための請求項１記載の発明は、上下左右の枠を有する正面形状が矩形の主枠（２）と、主枠内に取り付けられた遊技機本体（３，１７）と、主枠の後方へ露出している遊技機本体の背面を覆うための裏カバー（６）とを有する遊技機であって、遊技機本体の背面と対向する裏カバーの内表面（６５）に、遊技機を電気的に制御するための制御回路基板（Ｓ１〜Ｓ６）が配置されていることを特徴とする遊技機である。
【０００７】
なお、括弧内の英数字は、後述の実施形態における対応要素等を表す。以下、この項において同じ。
この発明の構成によれば、遊技機本体の背面と対向する裏カバーの内表面に、各種制御回路基板が配置されている。裏カバーの内表面は、遊技盤等の各種機構を有する遊技機本体の背面と比べて、各種制御回路基板を配置するのに十分な面積を有しており、各種制御基板の配置がし易い。
【０００８】
請求項２記載の発明は、前記裏カバー（６）の一部は、遊技機本体（３，１７）の背面に近接して当該背面を覆う平坦部（６１）を構成し、前記裏カバーの残りの部分は遊技機本体の背面と一定の空間をあけて背面を覆う膨出部（６２）を構成していることを特徴とする請求項１記載の遊技機である。
この発明の構成によれば、裏カバーに膨出部を設けることで、遊技機本体の背面と裏カバーとの間に、各種制御回路基板を配置するための、十分に大きい空間を形成することができる。このため、裏カバーの内表面に取り付けられた各種制御回路基板が、主枠の後方へ露出した、たとえば、機構盤等の遊技機本体と干渉することがない。また、裏カバーの膨出部が、遊技機本体の後方に十分に突出して設けられているので、裏カバーの内表面に各種制御回路基板を積層して取り付けることも可能となる等、より一層各種制御回路基板の配置が容易となる。
【０００９】
請求項３記載の発明は、前記裏カバー（６）の平坦部（６１１）の外表面（６４）に、当該遊技機と外部装置（２７）との信号の送受信を行うための情報端子基板（１２）が配置されていることを特徴とする、請求項２記載の遊技機である。
この発明の構成によれば、遊技機から外部装置へ信号の送受信を行うための情報端子基板が、裏カバーの外表面に取り付けられている。このため、遊技機島内に備えられる電線と、情報端子基板との接続を、裏カバーの遊技機裏面と対向する側まで当該電線を引き回すことなく行うことができる。したがって、遊技機島内に備えられる電線を、情報端子基板に接続し易い。さらに、情報端子基板を裏カバーの平坦部に取付けるため、情報端子基板を裏カバーの膨出部より後方に突出することなく配置でき、遊技機全体の厚みを増してしまうことがない。
【００１０】
請求項４記載の発明は、前記遊技機はパチンコ機（１）であり、前記裏カバー（６）の平坦部（６１）はパチンコ機本体（３，１７）の背面上方を覆い、前記平坦部の一部は切欠かれていて、そこにパチンコ機の背面から後方へ突出する玉受け部（１１）が露出されていることを特徴とする、請求項３記載の遊技機である。
この発明の構成によれば、パチンコ機が設置される遊技機島内の球循環機構から供給される遊技球を貯留しておくための球受け部が、裏カバーの平坦部を切り欠いた切欠部から裏カバーの後方へ突出している。このため、球循環機構から球受け部に直接遊技球を供給することができるようになっており、裏カバーを介して球循環機構と球受け部とを連通する例えばパイプ等の、遊技球供給用の通路を設ける必要が無い。したがって、裏カバーの構造を簡素化することができる。また、球循環機構と球受け部とを連通させるための、球循環機構側の通路と、パチンコ機側の通路とを繋ぐ作業が不要であるため、パチンコ機を遊技機島に設置する作業にかかる手間を低減できる。
【００１１】
請求項５記載の発明は、前記情報端子基板（１２）は、球受け部（１１）の側方に位置する平坦部（６１１）の外表面（６４）に配置され、開閉可能なカバー（１３）により覆われていることを特徴とする請求項４記載の遊技機である。
この発明の構成によれば、裏カバーの平坦部の外表面に配置された情報端子基板がカバーにより覆われている。このため、外部からのごみ等の異物が情報端子基板に付着することを防止できる。また、電線を情報端子基板に取り付けたり、情報端子基板をメンテナンスする場合等に、カバーを開くことで、作業員が容易に情報端子基板に触ることができる。さらに、カバーを裏カバーの平坦部の外表面に配置することで、カバーが裏カバーの膨出部より後方に突出しない構成とすることができる。これにより、パチンコ機の厚みを増すことなくカバーを取付けることができる。
【００１２】
請求項６記載の発明は、前記裏カバー（６）の内表面（６５）には、そこに配置される制御回路基板（Ｓ１〜Ｓ６）を電気的に接続することのできるアース用シート（１６）が貼着されていることを特徴とする、請求項１〜５のいずれかに記載の遊技機である。
この発明の構成によれば、遊技機に備えられる各種制御回路基板とアース用シートとが、たとえば、アース線を介して電気的に接続されている。このため、アース用シートを、遊技機外部のアース線等とアース接続することで、遊技機に備えられる各種制御回路基板をアース接続することができる。これにより、各種制御回路基板のサージ電流等による誤動作などを防止できる。また、各種制御回路基板に接続されるアース線を遊技機外部までわざわざ引き回す必要が無く、各種制御回路基板のアース接続がし易い。さらに、遊技機内のアース線の長さが短くて済むため、遊技機内部の配線の量を減らすことができ、遊技機内部の配線を整然としたものにできる。
【００１３】
【発明の実施の形態】
以下には、図面を参照して、本発明の実施形態について具体的に説明する。
図１は、本発明の一実施形態に係るパチンコ機１の外観構成を示す斜視図である。このパチンコ機１は、上下左右の枠を有する正面形状が矩形の主枠２と、主枠２の正面側に開閉可能に取り付けられ、数字や図柄等を表示するための可変表示装置Ｄ等が備えられた遊技盤３を保持するための保持枠４と、保持枠４の正面側に開閉可能に取り付けられ、装飾ランプＬ等を保持する前扉５と、主枠２の背面を覆う裏カバー６と、主枠２の上下左右を取り囲み、遊技店において当該パチンコ機１を遊技機島（図示せず）に取り付けるための外枠７とを備えている。
【００１４】
このパチンコ機１は、前扉５に形成されたほぼ円形の開口８を塞ぐ透明板９（例えばガラス板）を通して、透明板９の後方に設けられた遊技盤３を視認できるようになっている。また、保持枠４の下部には、遊技に使用する遊技球を貯留しておくための球皿１０が設けられている。また、球皿１０の下方には、当該パチンコ機１における遊技の雰囲気を盛り上げるための効果音出力用スピーカＳが左右一対設けられている。
【００１５】
このパチンコ機１に備えられる、たとえば、遊技盤３や後述する機構盤１７等の各種機構（遊技機本体）は、主枠２内に取付けられている。
図２はパチンコ機１を後方から見た斜視図である。
このパチンコ機１の背面には、裏カバー６と、球受け部１１と、情報端子基板１２と、カバー１３とが備えられている。
裏カバー６は、たとえば、ＡＢＳ（ａｃｒｙｌｏｎｉｔｒｉｌｅ　ｂｕｔａｄｉｅｎｅ　ｓｔｙｒｅｎｅ）樹脂等の樹脂により、主枠２に対向する前面が開放された箱状に形成されており、主枠２に取り付けられている。裏カバー６は、主枠２（遊技機本体）の背面に近接して主枠２の背面上方を覆う平坦部６１と、主枠２（遊技機本体）の背面と一定の空間をあけて背面を覆う膨出部６２からなる。平坦部６１の中央部、および、膨出部６２の中央部上端の一部は切り欠かれており、切欠部６３が形成されている。平坦部６１は、切欠部６３によって左右に分けられており、パチンコ機後方から見て、切欠部６３の右側には平坦部６１１が、切欠部６３の左側には平坦部６１２が、それぞれ形成されている。
【００１６】
球受け部１１は、上面が開放された箱状に形成されており、主枠２の上端下方に、主枠２の背面から切欠部６３を通して後方に突設されている。球受け部１１は、このパチンコ機１が設置される遊技機島内の球循環機構（図示せず）から供給された遊技球を貯留しておくためのものであり、球受け部１１に貯留された遊技球は、貸し球または賞球として、球皿１０（図１参照）に払い出されるようになっている。
【００１７】
情報端子基板１２は、後述する、パチンコ機１に備えられる各種制御回路基板Ｓ１〜Ｓ６から発信される信号を、パチンコホールのホール管理装置２７（外部装置）（図５参照）に送信するためのものであり、裏カバー６の平坦部６１１の外表面（パチンコ機後方側の表面）６４に取り付けられている。
カバー１３は、たとえば、ＡＢＳ（ａｃｒｙｌｏｎｉｔｒｉｌｅ　ｂｕｔａｄｉｅｎｅ　ｓｔｙｒｅｎｅ）樹脂等の樹脂により形成されており、裏カバー６の平坦部６１１の外表面６４に、球受け部１１と並んで備えられている。カバー１３の前方には、情報端子基板１２が配置されている。
【００１８】
図３は、パチンコ機１の各部の動作を制御するための種々の制御回路基板Ｓ１〜Ｓ６の配置状態を裏カバー６との関係で示す正面図であり、前扉５、保持枠４および後述する機構盤１７等の部材は適宜省略されている。
裏カバー６の内表面（パチンコ機裏面と対向する面）６５の上端部右寄りに配置されている制御回路基板Ｓ１は、このパチンコ機１の全体の統括的な制御を行うための主制御回路基板である。また、この主制御回路基板Ｓ１の左側に配置されている制御回路基板Ｓ２は、前扉５に保持された装飾ランプＬその他のランプ類の発光を制御するためのランプ制御回路基板であり、その制御回路基板Ｓ２の手前側に配置されている制御回路基板Ｓ３は、球皿１０の下方に設けられた効果音出力用スピーカＳより発せられる効果音の出力を制御するための音声制御回路基板である。さらに、裏カバー６の内表面６５の中央部から下部にかけての部分に設置されている制御回路基板Ｓ４は、球皿１０への遊技球の払出を制御するための払出制御回路基板であり、その手前側に配置されている制御回路基板Ｓ５は、遊技盤３に設けられた可変表示装置Ｄを制御するための表示制御回路基板である。また、制御回路基板Ｓ４、Ｓ５の右側に配置されている制御回路基板Ｓ６は、電源回路等を有する電源回路基板である。
【００１９】
制御回路基板Ｓ１〜Ｓ６には、それぞれ、複数の信号送信用の電線１４の一端が接続されている。複数の信号送信用の電線１４は、情報端子基板１２に至るまでに一本に束ねられており、信号送信用の電線１４のもう一方の端部が、信号送信用の電線１４を挿通するための挿通孔１５を通って、情報端子基板１２に接続されている。これにより、制御回路基板Ｓ１〜Ｓ６と情報端子基板１２とが電気的に接続されており、制御回路基板Ｓ１〜Ｓ６から発信される信号を、情報端子基板１２に送信できるようになっている。
【００２０】
図４は、パチンコ機１を右側から見た側面図であり、制御回路基板Ｓ１〜Ｓ６の配置状態を示している。
裏カバー６の内表面６５には、アース用シート１６が貼付されている。アース用シート１６は、裏カバー６の内表面６５の形状に対応した形状に形成された導電性を有する（たとえば、アルミニウム製）部材であり、裏カバー６の内表面６５に、たとえば両面テープで貼着されている。制御回路基板Ｓ１、Ｓ２、Ｓ４およびＳ６は、このアース用シート１６をはさんで裏カバー６の内表面６５に取り付けられている。また、制御回路基板Ｓ３は制御回路基板Ｓ２の前面側の表面に取り付けられており、制御回路基板Ｓ５は制御回路基板Ｓ４の前面側の表面に取り付けられている。
【００２１】
主枠２の後方には、遊技球を球皿１０に供給するための機構を有する機構盤１７の一部が突出しており（図４では、機構盤１７のうち主枠２の後方へ突出している部分のみを図示）、この部分が、制御基板Ｓ１〜Ｓ６と対向している。また、裏カバー６の膨出部６２は、制御基板Ｓ１〜Ｓ６と、機構盤１７とが干渉しない程度に後方に突出して形成されている。
図３を参照して、制御回路基板Ｓ１には、一端がアース用シート１６に接続されたアース線１８１が接続されており、制御回路基板Ｓ２には、一端がアース用シート１６に接続されたアース線１８２が接続されている。同様に、制御回路基板Ｓ３にはアース線１８３が、制御回路基板Ｓ４にはアース線１８４が、制御回路基板Ｓ５にはアース線１８５が、制御回路基板Ｓ６にはアース線１８６が、それぞれ取り付けられている。これにより、制御回路基板Ｓ１〜Ｓ６とアース用シート１６とが電気的に接続されている。
【００２２】
また、裏カバー６およびアース用シート１６には、たとえば、制御回路基板Ｓ１と制御回路基板Ｓ６との間の部分に、アース線取り出し用の開口１９が、互いに連通して形成されている。また、アース線取り出し用の開口１９の近傍には、アース線接続用ピン２０が立設されており、このアース線接続用ピン２０には、アース線取り出し用の開口１９から裏カバー６外へ延びた外部との接続用のアース線２１の一端が接続されている。外部との接続用のアース線２１の他端は、たとえば、外枠７の金属製の右側片７１（図１参照）に接続されている。
【００２３】
これにより、制御回路基板Ｓ１〜Ｓ６は、アース線１８、アース用シート１６および外部との接続用のアース線２１を介して外枠７の右側片７１に電気的に接続されることになる。ゆえに、球皿１０や球受け部１１から供給される遊技球が機構盤１７内を通過すること等に起因する静電気が放電されると、その放電された静電気が、アース線１８、アース用シート１６および外部との接続用のアース線２１および外枠７の右側片７１を介して機外に逃がされ、制御回路基板Ｓ１〜Ｓ６に実装されているＣＰＵに悪影響を与えないようになっている。
【００２４】
本実施形態では、主枠２（遊技機本体）の背面と対向する裏カバー６の内表面６５に、制御回路基板Ｓ１〜Ｓ６が配置されている。この裏カバー６の内表面６５は、制御回路基板Ｓ１〜Ｓ６を配置するのに十分な面積を有している。このため、従来の、制御回路基板をパチンコ機の背面に配置する構成と比べて、制御回路基板Ｓ１〜Ｓ６の配置場所が十分に確保されており、制御基板Ｓ１〜Ｓ６の配置がし易い。
【００２５】
また、裏カバー６に膨出部６２を設けることで、主枠２（遊技機本体）の背面と裏カバー６との間に、制御回路基板Ｓ１〜Ｓ６を配置するための、十分に大きい空間が形成されている。このため、裏カバー６の内表面６５に取り付けられた制御回路基板Ｓ１〜Ｓ６が、機構盤１７の、主枠２の後方に突出した部分と干渉することがない。また、裏カバー６の膨出部６２が、パチンコ機後方に十分に突出して設けられているので、制御回路基板Ｓ３を制御回路基板Ｓ２に、制御回路基板Ｓ５を制御回路基板Ｓ４に、それぞれ積層して取付けられるようになっている。このため、制御回路基板Ｓ１〜Ｓ６の配置の自由度が増し、より一層、制御回路基板Ｓ１〜Ｓ６の配置がし易い。
【００２６】
さらに、このパチンコ機１が設置される遊技機島内の球循環機構から供給される遊技球を貯留しておくための球受け部１１が、裏カバー６の平坦部６１を切り欠いた切欠部６３から裏カバー６の後方へ突出している。このため、球循環機構から球受け部１１に直接遊技球を供給することができるようになっており、裏カバー６を介して球循環機構と球受け部１１とを連通する、例えばパイプ等の、遊技球供給用の通路を設ける必要が無い。したがって、裏カバー６の構造を簡素化することができる。また、球循環機構と球受け部１１とを連通させるための、球循環機構側の通路と、パチンコ機側の通路とを繋ぐ作業が不要であるため、パチンコ機１を遊技機島に設置する作業にかかる手間を低減できる。
【００２７】
また、制御回路基板Ｓ１〜Ｓ６とアース用シート１６とが、アース線１８を介して電気的に接続されている。このため、アース用シート１６を、外部との接続用のアース線２１とアース接続することで、制御回路基板Ｓ１〜Ｓ６をアース接続することができる。これにより、制御回路基板Ｓ１〜Ｓ６のサージ電流等による誤動作などを防止できる。また、アース線１８１〜１８６をパチンコ機１の外部までわざわざ引き回す必要が無く、制御回路基板Ｓ１〜Ｓ６のアース接続がし易い。さらに、アース線１８１〜１８６の長さが短くて済むため、パチンコ機１内部の配線の量を減らすことができ、パチンコ機１内部の配線を整然としたものにできる。
【００２８】
図５は、図２の情報端子基板１２およびカバー１３の拡大図である。
図５を参照して、裏カバー６は、情報端子基板１２と、カバー１３と、一対の側板２２と、一対の取付部材２３と、係止孔２４とを備えている。
前述したように、情報端子基板１２は、裏カバー６の平坦部６１１の外表面６４に取付けられており、後方側に、信号受信端子２５と、信号送信端子２６１、２６２とを有している。一端が、それぞれ、制御回路基板Ｓ１〜Ｓ６に接続された、複数の信号送信用の電線１４（図３参照）は、信号送信用の電線１４を挿通させるための挿通孔１５を通って信号受信端子２５に接続されている。また、一端がパチンコホールのホール管理装置（外部装置）２７に接続された外部接続用の電線２８の反対側の端部が、信号受信端子２６１、２６２に接続されている。これにより、制御回路基板Ｓ１〜Ｓ６が、信号送信用の電線１４、情報端子基板１２を介してホール管理装置２７と電気的に接続されており、制御回路基板Ｓ１〜Ｓ６から発信された信号が、ホール管理装置２７に送信されるようになっている。
【００２９】
カバー１３は、断面が例えば略Ｌ字形形状に形成されており、その両端部に側板１３１、１３２を備えている。側板１３１の上端部には、後方から見て右側に向けて回動軸１３３が突設されており、側板１３２の上端部には、後方から見て左側に向けて回動軸１３４が突設されている。また、カバー１３の中央部から中央部下端にかけて縦方向に溝１３５が例えば２本形成されており、溝１３５に挟まれた部分が係止片１３６を形成している。溝１３５は、外部接続用の電線２８を通すことができる程度の幅を有している。また、係止片１３６の下端には、下方に張り出した係合突起１３７が突設されている。
【００３０】
一対の側板２２は、裏カバー６の平坦部６１１の外表面６４に、情報端子基板１２を挟んで後方に向けて突設されている。一対の側板２２の後方側の周縁は、カバー１３の側板１３１、１３２の前面側の周縁と対応する形状に形成されている。
一対の側板２２の上方には、一対の取付部材２３が後方に向けて突設されている。一対の取付部材２３は、一対の取付部材２３と直交して同心に穿孔された取付溝２９を有している。
【００３１】
係止孔２４は、裏カバー６の膨出部６２上端に、たとえば、長方形状に形成されている。
カバー１３は、回動軸１３３、１３４を取付溝２９に嵌め込むことにより、取付部材２３に回動可能に取り付けられる。また、係止孔２４は、その後方側の周縁が、カバー１３を閉じた状態の係合突起１３７の後方側端面と当接するように形成されており、カバー１３を閉じた状態では、カバー１３の回動が規制される。一方、係止片１３６を上方へ持ち上げることで係合突起１３７と裏カバー６との係止を解除し、カバー１３を回動することができる。また、カバー１３を取付部材２３に取付けた状態において、情報端子基板１２は裏カバー６、カバー１３および一対の側板２２により、覆われている。
【００３２】
本実施形態によれば、制御回路基板Ｓ１〜Ｓ６からホール管理装置２７へ信号を送信するための情報端子基板１２が、裏カバー６の外表面６４に取付けられている。このため、遊技機島内に備えられる外部接続用の電線２８と、情報端子基板１２との接続を、裏カバー６の前面側まで当該電線２８を引き回すことなく行うことができる。したがって、遊技機島内に備えられる外部接続用の電線２８と、情報端子基板１２との接続がしやすい。さらに、情報端子基板１２を、裏カバー６の平坦部６１１に取付けるため、情報端子基板１２を裏カバー６の膨出部６２より後方に突出することなく配置でき、遊技機全体の厚みを増してしまうことがない。
【００３３】
また、情報端子基板１２がカバー１３および一対の側板２２により覆われており、外部からのごみ等の異物が情報端子基板１２に付着することを防止できる。さらに、外部接続用の電線２８を情報端子基板１２に取り付けたり、情報端子基板１２をメンテナンスする場合等に、カバー１３を開くことで、作業員が容易に情報端子基板１２に触ることができる。また、カバー１３を裏カバー６の平坦部６１１の外表面６４に配置することで、カバー１３が、裏カバー６の膨出部６２より後方に突出しない構成とすることができる。これにより、パチンコ機１の厚みを増してしまうことが無い。
【００３４】
上述の実施形態では、信号受信端子２５を１箇所、信号受信端子２６を２箇所設ける構成を説明したが、これに限らず、信号受信端子および信号受信端子がより多く設けられた構成であってもよい。
球受け部１１がパチンコ機１の背面上端中央部に配置されているものとして説明したが、これに限らず、球受け部１１がパチンコ機１の背面上端部の右側または左側に配置されていても良い。
【００３５】
カバー１３の形状を断面略Ｌ字形形状として説明したが、これに限らず、カバー１３の後方の端部が、裏カバー６の膨出部６２より後方に突出しない範囲で、断面半円形形状等の形状であっても良い。
制御回路基板Ｓ１〜Ｓ６から発信される信号を、情報端子基板１２を介してホール管理装置２７へ送信する構成として説明したが、制御回路基板Ｓ１〜Ｓ６とホール管理装置２７とが、情報端子基板１２を介して双方向に信号の送受信を行う構成であっても良い。
【００３６】
制御回路基板Ｓ１〜Ｓ６とアース用シート１６とを、アース線１８を介して電気的に接続する構成として説明したが、制御回路基板Ｓ１〜Ｓ６とアース用シート１６とを直接接触させて電気的に接続する構成であっても良い。
また、本発明の一実施形態としてパチンコ機について説明したが、本発明はパチンコ機に限らず、パチスロ機等の他の遊技機にも適用可能である。
本発明は、以上の実施形態の内容に限定されるものではなく、請求項記載の範囲内において種々の変更が可能である。
【図面の簡単な説明】
【図１】本発明の一実施形態に係るパチンコ機の外観構成を示す斜視図である。
【図２】パチンコ機を後方から見た斜視図である。
【図３】制御基板の配置状態を裏カバーとの関係で示す正面図である。
【図４】パチンコ機を右側から見た側面図である。
【図５】図２の情報端子基板およびカバーの拡大図である。
【符号の説明】
１　　パチンコ機
２　　主枠
６　　裏カバー
６１　平坦部
６２　膨出部
６３　切欠部
６４　外表面
６５　内表面
１１　球受け部
１２　情報端子基板
１３　カバー
１６　アース用シート
Ｓ１，Ｓ２，Ｓ３，Ｓ４，Ｓ５，Ｓ６　制御回路基板
【図１】
2004057482.tif 000003
【図２】
2004057482.tif 000004
【図３】
2004057482.tif 000005
【図４】
2004057482.tif 000006
【図５】
2004057482.tif 000007